(57)【要約】【課題】  印刷されている画像の色に応じた色の画像を出力する。【解決手段】  サーバ２６は、カラー複合機２４から受入れたＬ＊ａ＊ｂ＊値による画像データと、スキャナ部２４０のデバイスプロファイルとを用いて、出力サンプル２０に印刷されている画像の色それぞれのＬ＊ａ＊ｂ＊値を算出する。また、サーバ２６は、画像印刷装置１８に入力されたＲＧＢ値による画像データと、画像データに応じて画像印刷装置１８が印刷する画像の色それぞれのＬ＊ａ＊ｂ＊値とを対応させる入出力特性を抽出し、抽出した入出力特性から画像出力部２２０が固有の特性で画像を印刷することによって生じる色値の変化を差し引くことにより、色変換テーブルを作成する。出力センター２２は、ＰＣ１６から受入れた画像データを色変換テーブルにより変換（色補正）し、変換した画像データに応じた画像を画像出力部２２０により印刷する。【選択図】          図１
2006148834.tif 000002
【特許請求の範囲】
【請求項１】
第１の印刷手段により印刷された画像から色を読み取り、読み取られた色に基づいて色変換特性を生成し、この色変換特性に応じて第２の印刷手段により画像を色補正して出力することを特徴とする画像処理方法。
【請求項２】
前記第１の印刷手段により印刷された画像の色に対し、前記第２の印刷手段により出力される画像の色が略同じになるように画像を色補正して出力することを特徴とする請求項１記載の画像処理方法。
【請求項３】
第１の印刷手段により印刷された画像から色を読み取る色読み取り手段と、この色読み取り手段により読み取られた色に基づいて色変換特性を生成する色変換特性生成手段と、この色変換特性生成手段が生成した色変換特性に応じて画像を色補正して出力する第２の印刷手段とを有することを特徴とする画像処理システム。
【請求項４】
第１の印刷手段により印刷された画像から色を読み取るスキャナ部と、このスキャナ部により読み取られた色に基づいて色変換特性を生成する色変換特性生成手段と、この色変換特性生成手段が生成した色変換特性に応じて画像を色補正して出力する第２の印刷手段と、この第２の印刷手段により出力される画像に応じた画像を印刷するプリンタ部と、このプリンタ部により印刷される画像の色が前記第２の印刷手段により出力される画像の色と略同じ色になるように画像の色を二次補正する二次補正手段とを有することを特徴とする画像処理システム。
【請求項５】
前記スキャナ部及び前記プリンタ部は、一体に設けられていることを特徴とする請求項４記載の画像処理システム。
【請求項６】
前記第２の印刷手段は、画像の色が前記第１の印刷手段により印刷された画像の色と略同じになるように画像を色補正して出力することを特徴とする請求項３乃至５いずれか記載の画像処理システム。
【請求項７】
前記第２の印刷手段は、前記第１の印刷手段により印刷された画像の画像データを用いて画像を色補正して出力することを特徴とする請求項３乃至６いずれか記載の画像処理システム。
【発明の詳細な説明】
【技術分野】
【０００１】
本発明は、例えばスキャナを有するカラー複合機を用いた画像処理方法及び画像処理システムに関する。
【背景技術】
【０００２】
ＬＡＮ（Ｌｏｃａｌ  Ａｒｅａ  Ｎｅｔｗｏｒｋ）やインターネット等の通信手段を介して画像の印刷を発注し、出力センター等で画像を大量印刷することが行われている。このように画像を大量印刷する場合、ユーザ（発注者）が自宅で印刷することなどによって色を確認したサンプルと略同じ色で大量印刷されるように発注したいという要望がある。そこで、ソースデバイス及びターゲットデバイスそれぞれにプロファイル、又はカラーデータと測色データの対を入力することによって色変換データを作成し、色変換データを使用して画像データの色変換処理を行うことにより、ソースデバイスによって再現される色と、ターゲットデバイスによって再現される色とを略同様の色にすることができるようにしたものが公知となっている(例えば特許文献１）。
【０００３】
【特許文献１】特開２００３−１５２５４２号公報
【発明の開示】
【発明が解決しようとする課題】
【０００４】
しかしながら、上記従来例においては、ソースデバイス及びターゲットデバイスそれぞれにプロファイル、又はカラーデータと測色データの対いずれかが必要になるという問題があった。
【０００５】
本発明の目的は、印刷されている画像の色に応じた色の画像を出力することができる画像処理方法及び画像処理システムを提供することにある。
【課題を解決するための手段】
【０００６】
上記目的を達成するため、本発明の第１の特徴とするところは、第１の印刷手段により印刷された画像から色を読み取り、読み取られた色に基づいて色変換特性を生成し、この色変換特性に応じて第２の印刷手段により画像を色補正して出力する画像処理方法にある。即ち、第１の印刷手段のプロファイル又は第１の印刷手段により印刷された画像の測色データがない場合にも、第１の印刷手段により印刷された画像の色に応じて色補正された画像を第２の印刷手段により出力することができる。
【０００７】
また、本発明の第２の特徴とするところは、前記第１の印刷手段により印刷された画像の色に対し、前記第２の印刷手段により出力される画像の色が略同じになるように画像を色補正して出力する画像処理方法にある。即ち、第１の印刷手段により印刷された画像の色を第２の印刷手段によって略再現することができる。
【０００８】
また、本発明の第３の特徴とするところは、第１の印刷手段により印刷された画像から色を読み取る色読み取り手段と、この色読み取り手段により読み取られた色に基づいて色変換特性を生成する色変換特性生成手段と、この色変換特性生成手段が生成した色変換特性に応じて画像を色補正して出力する第２の印刷手段とを有する画像処理システムにある。
【０００９】
また、本発明の第４の特徴とするところは、第１の印刷手段により印刷された画像から色を読み取るスキャナ部と、このスキャナ部により読み取られた色に基づいて色変換特性を生成する色変換特性生成手段と、この色変換特性生成手段が生成した色変換特性に応じて画像を色補正して出力する第２の印刷手段と、この第２の印刷手段により出力される画像に応じた画像を印刷するプリンタ部と、このプリンタ部により印刷される画像の色が前記第２の印刷手段により出力される画像の色と略同じ色になるように画像の色を二次補正する二次補正手段とを有する画像処理システムにある。したがって、第２の印刷手段により出力される画像の色と略同じ色の画像がプリンタ部によって印刷されるので、第２の印刷手段により画像が出力されていなくても、ユーザは第２の印刷手段により出力される画像の色を確認することができる。
【００１０】
好適には、前記スキャナ部及び前記プリンタ部は、一体に設けられている。即ち、スキャナ部及びプリンタ部は、例えばスキャナ及びプリンタなどを含む複合機に設けられてもよい。また、スキャナ部及びプリンタ部が一体に設けられていることにより、ユーザは、画像からの色の読み取りと、第２の印刷手段により出力される画像の色と略同じ色の画像の印刷とを同じ場所で行うことができる。
【００１１】
また、好適には、前記第２の印刷手段は、画像の色が前記第１の印刷手段により印刷された画像の色と略同じになるように画像を色補正して出力する。また、好適には、前記第２の印刷手段は、前記第１の印刷手段により印刷された画像の画像データを用いて画像を色補正して出力することを特徴とする。
【発明の効果】
【００１２】
本発明によれば、印刷されている画像の色に応じた色の画像を出力することができる。
【発明を実施するための最良の形態】
【００１３】
次に本発明の実施形態を図面に基づいて説明する。
図１において、画像処理システム１０の概要が示されている。画像処理システム１０は、例えば画像の印刷を発注するユーザ側に設けられたユーザシステム１２と、画像の印刷を受注するサービスプロバイダ側に設けられたサービスシステム１４から構成される。ユーザシステム１２は、例えばパーソナルコンピュータ（ＰＣ）１６及びプリンタなどの画像印刷装置１８を有する。ＰＣ１６は、ユーザの操作により、画像データ（電子画像データ）を画像印刷装置１８に対して出力する。また、ＰＣ１６は、ＬＡＮ又はインターネットなどを介してサービスシステム１４に接続されており、例えばＲＧＢ値による画像データをサービスシステム１４に対して出力する。画像印刷装置１８は、ＰＣ１６から入力された画像データに応じて画像を印刷し、例えばユーザが印刷を発注する画像が印刷された出力サンプル２０を印刷物の色見本として出力する。出力サンプル２０は、ユーザ又は第三者により後述するスキャナ部２４０で読取られる。なお、出力サンプル２０は、ユーザが印刷の発注を行う画像を印刷したものであってもよいし、印刷の発注を行う画像に含まれる色が配置された専用の色見本であってもよい。
【００１４】
サービスシステム１４は、例えば画像を印刷する出力センター２２、カラー複合機２４及びサーバ２６を有する。出力センター２２は、画像を例えば印刷により出力する画像出力部２２０を有し、ＬＡＮ及びインターネットなどを介してサーバ２６及びＰＣ１６に接続されており、ＰＣ１６から受入れた画像データに応じた画像を例えば印刷物２８にして出力する。
【００１５】
カラー複合機２４は、出力サンプル２０を読取って画像を例えばＲＧＢ信号に色分解するスキャナ部２４０、及び、画像を印刷するプリンタ部２４２を含み、例えばコンビニエンスストアなどに配置されている。また、カラー複合機２４は、インターネット等のネットワークを介してサーバ２６に接続されており、スキャナ部２４０が読取ったスキャン画像（色分解された画像）をサーバ２６に対して出力し、プリンタ部２４２によって印刷される画像の色が印刷物２８の色と略同じ色になるように画像データを変換する色変換テーブル、及び画像データをサーバ２６から受け入れて、プリンタ部２４２により画像を例えば印刷物３０にして出力する。印刷物３０の出力は例えばサービスシステム１４におけるオプションサービスであり、出力センター２２が出力する印刷物２８の色などの仕上がりを、ユーザが印刷物３０を見ることにより確認することができるようにされている。サービスシステム１４には、例えばスキャナ部２４０及びプリンタ部２４２のデバイスプロファイルがそれぞれ略同じである複数のカラー複合機２４が設けられてもよい。
【００１６】
サーバ２６は、画像出力部２２０、スキャナ部２４０及びプリンタ部２４２それぞれのデバイスプロファイルをプロファイルデータベース７００（図４を用いて後述）として記憶する記憶部と、後述する画像処理プログラム７０を実行する中央演算処理装置（ＣＰＵ）とを有する。また、サーバ２６は、ＬＡＮ及びインターネットなどを介し、ＰＣ１６、出力センター２２及びカラー複合機２４に接続されている。なお、サービスシステム１４において、サーバ２６は独立して設けられなくてもよく、サーバ２６が有する機能が出力センター２２又はカラー複合機２４内に設けられてもよい。
【００１７】
図２において、カラー複合機２４の制御部のハードウエア構成が示されている。カラー複合機２４は、中央演算処理装置（ＣＰＵ）３２、プログラムＲＯＭ３４、ＲＡＭ３６及び画像処理部３８がバス４０に接続されている。例えばＲＡＭ３６には、スキャナ部２４０、プリンタ部２４２及び画像出力部２２０のデバイスプロファイルがプロファイルデータベース７２０（図７などを用いて後述）として格納されている。バス４０には、スキャナ部インターフェイス４２及びプリンタ部インターフェイス４４が接続され、スキャナ部インターフェイス４２にはスキャナ部２４０が、プリンタ部インターフェイス４４にはプリンタ部２４２が、それぞれ接続されている。さらにバス４０には通信インターフェイス４６及びユーザインターフェイス（ＵＩ）４８が接続され、ユーザの指示、画像データ及び処理結果などの信号が入出力されるようになっている。
【００１８】
カラー複合機２４は、スキャナ部２４０により読み取ったスキャン画像を例えばＲＧＢ信号に色分解した画像として取り込み、取り込まれたデバイス依存（スキャナ部２４０の所定の特性に依存）のＲＧＢ信号をスキャナ部２４０のデバイスプロファイルを用いて画像処理部３８により例えばＬ＊ａ＊ｂ＊値による画像データに変換し、通信インターフェイス４６によりサーバ２６に対して出力する。また、オプションサービスとして印刷物３０を印刷する場合、カラー複合機２４は、ＵＩ４８を介してユーザが入力する指示に応じて、通信インターフェイス４６により画像データ及び色変換テーブルを受け入れ、印刷物３０に印刷される画像の色が印刷物２８に印刷される画像の色と略同じ色になるように、画像処理部３８により色変換テーブル及びプリンタ部２４２のデバイスプロファイルを用いて画像データを変換し、プリンタ部２４２により印刷物３０を出力する。
【００１９】
図３において、出力センター２２に設けられた制御部のハードウエア構成が示されている。出力センター２２は、前述したカラー複合機２４と同様に、中央演算処理装置（ＣＰＵ）５０、プログラムＲＯＭ５２、ＲＡＭ５４及び画像処理部５６がバス５８に接続されている。バス５８には、画像出力部インターフェイス６０が接続され、この画像出力部インターフェイス６０に画像出力部２２０が接続されている。さらにバス５８には通信インターフェイス６２が接続され、外部からの信号を受け、外部へ信号を送るようになっている。
【００２０】
通常、出力センター２２で印刷する場合は、画像出力部２２０のデバイスプロファイルに従って印刷する。しかしながら、この実施形態においては、出力センター２２は、サーバ２６から通信インターフェイス６２を介して色変換テーブルを受入れ、印刷物２８が出力サンプル２０の色と略同じ色を再現するように、画像処理部５６により色変換テーブルを用いてＰＣ１６から受入れた画像データを変換（色補正）し、画像出力部２２０により印刷物２８を出力する。
つまり、出力サンプル２０の色と略同じ色が再現された画像が出力センター２２により印刷物２８として出力され、出力センター２２によって出力される印刷物２８と略同じ色の画像がカラー複合機２４により印刷物３０として出力される。
【００２１】
次にサーバ２６が色変換テーブルを作成する処理（画像処理）について説明する。
図４において、画像処理プログラム７０の構成が示されている。
画像処理プログラム７０は、プロファイルデータベース７００、色値算出部７０２、入出力特性抽出部７０４及び色変換テーブル作成部７０６から構成され、図１に示したサーバ２６により実行される。
【００２２】
プロファイルデータベース７００は、画像出力部２２０、スキャナ部２４０及びプリンタ部２４２それぞれのデバイスプロファイルがサーバ２６の記憶部に記憶されたものであり、例えば色値算出部７０２に対してスキャナ部２４０のデバイスプロファイルを出力し、色変換テーブル作成部７０６に対して画像出力部２２０のデバイスプロファイルを出力するようにされている。
【００２３】
色値算出部７０２は、カラー複合機２４から受入れたＬ＊ａ＊ｂ＊値による画像データ（スキャン画像）と、プロファイルデータベース７００から受入れたスキャナ部２４０のデバイスプロファイルとを用いて、出力サンプル２０に印刷されている画像の色それぞれのＬ＊ａ＊ｂ＊値（色値）を算出し、入出力特性抽出部７０４に対して出力する。例えば、色値算出部７０２は、スキャナ部２４０によりＲＧＢ信号に色分解され、画像処理部３８によりＬ＊ａ＊ｂ＊値による画像データに変換されたスキャン画像の色値から、スキャナ部２４０が所定の特性で画像を読取ることによって生じる色値の変化を差し引くことにより、出力サンプル２０に印刷されている画像の色それぞれのＬ＊ａ＊ｂ＊値を算出する。
【００２４】
入出力特性抽出部７０４は、ＰＣ１６からＲＧＢ値による画像データを受け入れ、色値算出部７０２から出力サンプル２０に印刷されている画像の色それぞれのＬ＊ａ＊ｂ＊値を受入れて、画像印刷装置１８の入出力特性を抽出し、抽出した画像印刷装置１８の入出力特性を色変換テーブル作成部７０６に対して出力する。例えば、入出力特性抽出部７０４は、画像印刷装置１８に入力されたＲＧＢ値による画像データと、画像データに応じて画像印刷装置１８が印刷する画像の色それぞれのＬ＊ａ＊ｂ＊値とを対応させる入出力対応テーブルを画像印刷装置１８の入出力特性として抽出する。
【００２５】
色変換テーブル作成部７０６は、入出力特性抽出部７０４から受入れた入出力対応テーブルと、プロファイルデータベース７００から受入れた画像出力部２２０のデバイスプロファイルとを用いて、出力サンプル２０の色と略同じ色が再現された画像が画像出力部２２０によって出力されるようにＲＧＢ値による画像データを変換する色変換テーブルを作成し、出力センター２２及びカラー複合機２４に対して出力する。例えば、色変換テーブル作成部７０６は、入出力特性抽出部７０４から受入れた入出力対応テーブルから、画像出力部２２０が固有の特性で画像を印刷することによって生じる色値の変化を差し引くことにより、色変換テーブルを作成する。
つまり、ＲＧＢ値による画像データを色変換テーブルにより変換し、変換された画像データに応じて画像出力部２２０が画像を印刷することにより、画像印刷装置１８がＲＧＢ値による画像データに応じて画像を印刷した場合と略同じ色値の変化が生じるので、印刷物２８によって出力サンプル２０の色と略同じ色が再現される。
【００２６】
次に、サーバ２６が画像処理プログラム７０を実行する処理について説明する。
図５は、サーバ２６が画像処理プログラム７０を実行する処理（Ｓ１０）を例示するフローチャートである。
図５に示すように、ステップ１００（Ｓ１００）において、色値算出部７０２は、カラー複合機２４からＬ＊ａ＊ｂ＊値によるスキャン画像を取得する。
【００２７】
ステップ１０２（Ｓ１０２）において、色値算出部７０２は、カラー複合機２４から受入れたＬ＊ａ＊ｂ＊値による画像データ（スキャン画像）と、プロファイルデータベース７００から受入れたスキャナ部２４０のデバイスプロファイルとを用いて、出力サンプル２０に印刷されている画像の色それぞれのＬ＊ａ＊ｂ＊値（色値）を算出する。
【００２８】
ステップ１０４（Ｓ１０４）において、入出力特性抽出部７０４は、ＰＣ１６からＲＧＢ値による画像データを取得する。
【００２９】
ステップ１０６（Ｓ１０６）において、入出力特性抽出部７０４は、画像印刷装置１８に入力されたＲＧＢ値による画像データと、画像データに応じて画像印刷装置１８が印刷する画像の色それぞれのＬ＊ａ＊ｂ＊値とを対応させる入出力対応テーブルを画像印刷装置１８の入出力特性として抽出する。
【００３０】
ステップ１０８（Ｓ１０８）において、色変換テーブル作成部７０６は、入出力特性抽出部７０４から受入れた入出力対応テーブルから、画像出力部２２０が固有の特性で画像を印刷することによって生じる色値の変化を差し引くことにより、色変換テーブルを作成する。
【００３１】
ステップ１１０（Ｓ１１０）において、サーバ２６は、作成した色変換テーブルと、ＰＣ１６から取得したＲＧＢ値による画像データとをカラー複合機２４へ送信する。
【００３２】
ステップ１１２（Ｓ１１２）において、サーバ２６は、作成した色変換テーブルを出力センター２２へ送信する。
【００３３】
次に出力センター２２が画像を印刷する処理について説明する。
図６は、出力センター２２が画像を印刷する処理（Ｓ２０）を例示するフローチャートである。
図６に示すように、ステップ２００（Ｓ２００）において、出力センター２２は、ＬＡＮなどを介してＰＣ１６からＲＧＢ値による画像データを取得する。
【００３４】
ステップ２０２（Ｓ２０２）において、出力センター２２は、ＬＡＮなどを介してサーバ２６から色変換テーブルを取得する。
【００３５】
ステップ２０４（Ｓ２０４）において、出力センター２２は、色変換テーブルを用いてＲＧＢ値による画像データを色変換（色補正）する。
【００３６】
ステップ２０６（Ｓ２０６）において、出力センター２２は、色変換された画像データに応じた画像を画像出力部２２０により印刷する。
このように、サーバ２６が画像処理プログラム７０を実行することにより、出力サンプル２０の色と略同じ色が再現された画像が出力センター２２により印刷物２８として出力される。
【００３７】
次に、カラー複合機２４によるオプションサービスについて説明する。
図７において、オプションサービス処理プログラム７２の構成が示されている。
オプションサービス処理プログラム７２は、プロファイルデータベース７２０、差分テーブル作成部７２２及び二次補正部７２４から構成され、図１に示したカラー複合機２４により実行される。
プロファイルデータベース７２０は、スキャナ部２４０、プリンタ部２４２及び画像出力部２２０のデバイスプロファイルがＲＡＭ３６に記憶されたものであり、差分テーブル作成部７２２に対してプリンタ部２４２及び画像出力部２２０のデバイスプロファイルを出力するようにされている。
【００３８】
差分テーブル作成部７２２は、プロファイルデータベース７２０からプリンタ部２４２及び画像出力部２２０のデバイスプロファイルを受け入れ、画像出力部２２０によって印刷することにより生じる色値の変化と、プリンタ部２４２によって印刷することにより生じる色値の変化との差分を示す差分テーブルを作成し、二次補正部７２４に対して出力する。
【００３９】
二次補正部７２４は、サーバ２６から色変換テーブル及びＲＧＢ値による画像データを受け入れ、差分テーブル作成部７２２から差分テーブルを受入れて、画像データを色変換テーブル及び差分テーブルによって変換することにより二次補正し、二次補正した画像データをプリンタ部２４２に対して出力する。
【００４０】
次に、カラー複合機２４がオプションサービス処理プログラム７２を実行する処理について説明する。
図８は、カラー複合機２４がオプションサービス処理プログラム７２を実行する処理（Ｓ３０）を例示するフローチャートである。
図８に示すように、ステップ３００（Ｓ３００）において、差分テーブル作成部７２２は、プロファイルデータベース７２０からプリンタ部２４２及び画像出力部２２０のデバイスプロファイルを受け入れ、画像出力部２２０によって印刷することにより生じる色値の変化と、プリンタ部２４２によって印刷することにより生じる色値の変化との差分を示す差分テーブルを作成し、二次補正部７２４に対して出力する。
【００４１】
ステップ３０２（Ｓ３０２）において、二次補正部７２４は、サーバ２６から色変換テーブル及びＲＧＢ値による画像データを取得する。
【００４２】
ステップ３０４（Ｓ３０４）において、二次補正部７２４は、画像データを色変換テーブル及び差分テーブルによって変換することにより二次補正し、二次補正した画像データをプリンタ部２４２に対して出力する。
【００４３】
ステップ３０６（Ｓ３０６）において、カラー複合機２４は、補正した画像データに応じた画像をプリンタ部２４２により印刷する。
このように、カラー複合機２４がオプションサービス処理プログラム７２を実行することによって、ＲＧＢ値による画像データを色変換テーブルにより変換して画像出力部２２０により印刷した印刷物２８の色と、ＲＧＢ値による画像データを色変換テーブル及び差分テーブルにより変換してプリンタ部２４２により印刷した印刷物３０の色とを略同じにすることができる。したがって、ユーザは、出力センター２２によって印刷される印刷物２８を待つことなく、印刷物２８と略同じ色の画像を印刷物３０によって確認することができる。
【００４４】
なお、画像出力部２２０は、色値の変化を生じさせることなく画像を印刷することができるように調整されていてもよい。
【産業上の利用可能性】
【００４５】
以上述べたように、本発明は、印刷されている画像の色に応じた色の画像を出力する画像処理方法及び画像処理システムに用いることができる。
【図面の簡単な説明】
【００４６】
【図１】本発明の実施形態に係る画像処理システムを示す構成図である。
【図２】本発明の実施形態に用いたカラー複合機の制御部のハードウエア構成を示すブロック図である。
【図３】本発明の実施形態に用いた出力センターに設けられた制御部のハードウエア構成を示すブロック図である。
【図４】画像処理プログラムの構成を示すプログラム構成図である。
【図５】サーバが画像処理プログラムを実行する処理（Ｓ１０）を例示するフローチャートである。
【図６】出力センターが画像を印刷する処理（Ｓ２０）を例示するフローチャートである。
【図７】オプションサービス処理プログラムの構成を示すプログラム構成図である。
【図８】カラー複合機がオプションサービス処理プログラムを実行する処理（Ｓ３０）を例示するフローチャートである。
【符号の説明】
【００４７】
１０  画像処理システム
１２  ユーザシステム
１４  サービスシステム
１６  ＰＣ
１８  画像印刷装置
２０  出力サンプル
２２  出力センター
２２０  画像出力部
２４  カラー複合機
２４０  スキャナ部
２４２  プリンタ部
２６  サーバ
２８,３０  印刷物
７０  画像処理プログラム
７２  オプションサービス処理プログラム
【図１】
2006148834.tif 000003
【図２】
2006148834.tif 000004
【図３】
2006148834.tif 000005
【図４】
2006148834.tif 000006
【図５】
2006148834.tif 000007
【図６】
2006148834.tif 000008
【図７】
2006148834.tif 000009
【図８】
2006148834.tif 000010